(57)【特許請求の範囲】
【請求項１】
水塔内壁を洗浄できる水塔水位測量装置であって、水塔を含み、前記水塔の中には貯水空間が設置され、前記貯水空間の上壁の左端には上方に開口した水入り口が連通するように設置され、前記水塔の上方には測量装置が設置され、前記測量装置は、前記貯水空間の上壁の右側に連通するように設置され且つ上方に開口したスライド道を含み、前記スライド道の中には上下両端が外部まで延びたスライド棒が上下にスライド可能に設置され、前記スライド棒の右端面には右方に開口した第一歯付き溝が形成され、前記水塔の上端面において前記スライド道の右側には支持ブロックが前後対称に且つ固定的に設置され、後側の前記支持ブロックにおいて対称中心に近接した側の端面にはモータが固定的に設置され、前記モータの前端には第一回転軸が伝動可能に連結され、前記第一回転軸の前端が前側の前記支持ブロックに回転可能に連結され、前記第一回転軸の外円周面には前記第一歯付き溝に噛み合った歯車が固定的に設置され、前記貯水空間の中には洗浄装置が設置され、前記洗浄装置は前記貯水空間の上下壁の間に固定的に設置されたボルトを含み、前記貯水空間の中には前記ボルトにネジ山により連結された浮き板が上下にスライド可能に連結され、前記浮き板の上端面の中には環状スライド道が設置され、前記環状スライド道の右端が前記スライド棒の真っ下に位置しており、前記環状スライド道の中にはスライドブロックがスライド可能に設置され、前記環状スライド道の上壁には上方に開口した連結通路が連通するように設置され、前記連結通路の中には第二連結棒がスライド可能に設置され、前記第二連結棒の下端が前記スライドブロックに固定的に連結され、前記第二連結棒の上端が前記スライド棒の下端に固定的に連結され、前記貯水空間の下壁の中には洗い装置が設置され、前記洗い装置は前記貯水空間の下壁の中に設置された歯車空間を含み、前記歯車空間の右壁の中には第二回転軸が回転可能に設置され、前記第二回転軸の左端には歯車が固定的に設置され、前記貯水空間の下壁の内部において前記歯車空間の右側には第一連通管が連通するように設置され、前記第一連通管の右壁の下端には第二連通管が連通するように設置され、前記第二回転軸の右端が前記第二連通管の中に延びており且つ前記第二回転軸の右端にはインペラが固定的に設置されており、
前記測量装置は、前記第一回転軸の外円面に固定的に設置されたリールを含み、前記水塔の右端面には固定ブロックが固定的に設置され、前記固定ブロックの中には昇降空間が設置され、前記昇降空間の中には昇降ブロックが上下にスライド可能に設置され、前記昇降ブロックの下端面と前記昇降空間の下壁との間には第一ばねが固定的に連結され、前記昇降ブロックの上端面と前記リールとの間には引縄が固定的に連結されており、
前記昇降空間の右壁には右方に開口した開口が連通するように設置され、前記開口の中には第一連結棒が上下にスライド可能に設置され、前記第一連結棒の右端が外部に延びており且つ前記第一連結棒の右端には指針が固定的に設置され、前記固定ブロックの右端面において前記開口の縁のところには水位目盛りがマークされ、前記指針が前記昇降ブロックに従って昇降する時、前記指針は対応の水位目盛りに指すことができ、
前記洗浄装置は、前記浮き板の中に等間隔に配置され且つ半径において軸心から離れた方向に沿って開口した六つの収納空間を含み、前記収納空間の中には洗浄アームが半径方向に沿ってスライド可能に設置され、前記洗浄アームにおいて軸心から離れた端には洗浄綿が固定的に設置され、前記洗浄アームにおいて軸心に近接した端と前記収納空間の内壁との間には第二ばねが固定的に連結され、前記浮き板が高速旋転するとき、遠心力によって前記洗浄アームが軸心から離れた方向へスライドし、前記洗浄アームにおいて円心から離れた端が前記貯水空間の中まで延びており、前記洗浄綿が前記貯水空間の側壁と当接しており、
前記貯水空間の下壁の左側には下方に開口した排水口が連通するように設置され、前記排水口の側壁にはスライド板空間が連通するように設置され、前記スライド板空間の中には止水板が左右にスライド可能に設置され、前記止水板の右端と前記スライド板空間の右壁との間には第三ばねが固定的に連結され、前記スライド板空間の上壁と前記貯水空間の下壁との間において前記浮き板の下方には第一当接棒溝が連通するように形成され、前記第一当接棒溝の中には上端が前記貯水空間の中まで延びた第一当接棒が上下にスライド可能に設置されており、
前記止水板の上端面には上方に開口した当接溝が形成され、前記止水板が前記第三ばねの作用を受けて一番左に位置し、前記止水板の左端が前記排水口の左壁と当接して前記排水口を封じており、第一当接棒が下方へスライドすると、第一当接棒の下端が当接溝の斜面と当接し、止水板が右方へスライドし、前記貯水空間が前記排水口により外部と連通しており、
前記洗い装置は、前記歯車空間の上壁において前記第二回転軸の後側に連通するように設置された第二当接棒空間を含み、前記第二当接棒空間の上端が前記貯水空間と連通しており、前記第二当接棒空間の中には第二当接棒が上下貫通になるように且つ上下にスライド可能に設置され、前記第二当接棒の前端面の下端には前方に開口した第二歯付き溝が形成され、前記歯車が前記第二歯付き溝に噛み合っており、前記第二当接棒の下端と前記歯車空間の下壁との間には第四ばねが固定的に連結されており、
前記第一当接棒と前記第二当接棒の上端面には上方に開口したローリング車空間が設置され、前記ローリング車空間の左右壁の間には上端が外部まで延びたローリング車が回転可能に設置され、前記浮き板が高速に回転して下へスライドして前記第一当接棒と前記第二当接棒とを動かした時、前記ローリング車が前記浮き板の下端面と接触して回転し、前記浮き板と前記第一当接棒と前記第二当接棒との摩損を減らし、
前記第二連通管の上端面の右端と前記貯水空間の下壁との間には第三連通管が連通するように設置され、前記第三連通管の側壁の上端には加速弁が固定的に設置され、前記加速弁には底部口径が大きく、頂部口径が小さい加速口が上下貫通のように設置され、前記インペラが回転する時、前記インペラが水流を前記第三連通管に押し動かし、水流が前記加速口を通って流速を早めた後に前記洗浄綿に流れて洗浄することを特徴とする水塔内壁を洗浄できる水塔水位測量装置。
【発明の詳細な説明】
【技術分野】
【０００１】
本願発明は水塔水位測量技術分野に関し、具体的には水塔内壁を洗浄できる水塔水位測量装置。
【背景技術】
【０００２】
高い建築が雨後のたけのこのように現れることにしたがい、日常給水は水塔を頼るようになっている。長時間の使用をわたって、水塔の内壁には水垢が付着し、そして水塔の体積や位置により洗浄がとても難しいというのが問題である。現在使われている水塔の水位測量装置のほとんどは水位観測しかできず、そして従来の内壁洗浄装置も大体高圧水流で洗浄を行い、局限性が極めて大きく、完全にきれいに洗浄できない。本願発明は上記問題を解決できる。
【先行技術文献】
【特許文献】
【０００３】
【特許文献１】中国特許出願公開第１０８０７２４２４号明細書
【発明の概要】
【発明が解決しようとする課題】
【０００４】
技術問題：
長時間の使用をわたって、水塔の内壁には水垢が付着し、そして水塔の体積や位置により洗浄がとても難しいというのが問題である。現在使われている水塔の水位測量装置のほとんどは水位観測しかできず、そして従来の内壁洗浄装置も大体高圧水流で洗浄を行い、局限性が極めて大きい。
【課題を解決するための手段】
【０００５】
水塔内壁を洗浄できる水塔水位測量装置であって、水塔を含み、前記水塔の中には貯水空間が設置され、前記貯水空間の上壁の左端には上方に開口した水入り口が連通するように設置され、前記水塔の上方には測量装置が設置され、前記測量装置は、前記貯水空間の上壁の右側に連通するように設置され且つ上方に開口したスライド道を含み、前記スライド道の中には上下両端が外部まで延びたスライド棒が上下にスライド可能に設置され、前記スライド棒の右端面には右方に開口した第一歯付き溝が形成され、前記水塔の上端面において前記スライド道の右側には支持ブロックが前後対称に且つ固定的に設置され、後側の前記支持ブロックにおいて対称中心に近接した側の端面にはモータが固定的に設置され、前記モータの前端には第一回転軸が伝動可能に連結され、前記第一回転軸の前端が前側の前記支持ブロックに回転可能に連結され、前記第一回転軸の外円周面には前記第一歯付き溝に噛み合った歯車が固定的に設置され、前記貯水空間の中には洗浄装置が設置され、前記洗浄装置は前記貯水空間の上下壁の間に固定的に設置されたボルトを含み、前記貯水空間の中には前記ボルトにネジ山により連結された浮き板が上下にスライド可能に連結され、前記浮き板の上端面の中には環状スライド道が設置され、前記環状スライド道の右端が前記スライド棒の真っ下に位置しており、前記環状スライド道の中にはスライドブロックがスライド可能に設置され、前記環状スライド道の上壁には上方に開口した連結通路が連通するように設置され、前記連結通路の中には第二連結棒がスライド可能に設置され、前記第二連結棒の下端が前記スライドブロックに固定的に連結され、前記第二連結棒の上端が前記スライド棒の下端に固定的に連結され、前記貯水空間の下壁の中には洗い装置が設置され、前記洗い装置は前記貯水空間の下壁の中に設置された歯車空間を含み、前記歯車空間の右壁の中には第二回転軸が回転可能に設置され、前記第二回転軸の左端には歯車が固定的に設置され、前記貯水空間の下壁の内部において前記歯車空間の右側には第一連通管が連通するように設置され、前記第一連通管の右壁の下端には第二連通管が連通するように設置され、前記第二回転軸の右端が前記第二連通管の中に延びており且つ前記第二回転軸の右端にはインペラが固定的に設置されている。
【０００６】
有益的に、前記測量装置は、前記第一回転軸の外円面に固定的に設置されたリールを含み、前記水塔の右端面には固定ブロックが固定的に設置され、前記固定ブロックの中には昇降空間が設置され、前記昇降空間の中には昇降ブロックが上下にスライド可能に設置され、前記昇降ブロックの下端面と前記昇降空間の下壁との間には第一ばねが固定的に連結され、前記昇降ブロックの上端面と前記リールとの間には引縄が固定的に連結されている。
【０００７】
有益的には、前記昇降空間の右壁には右方に開口した開口が連通するように設置され、前記開口の中には第一連結棒が上下にスライド可能に設置され、前記第一連結棒の右端が外部に延びており且つ前記第一連結棒の右端には指針が固定的に設置され、前記固定ブロックの右端面において前記開口の縁のところには水位目盛りがマークされ、前記指針が前記昇降ブロックに従って昇降する時、前記指針は対応の水位目盛りに指すことができる。
【０００８】
有益的には、前記洗浄装置は、前記浮き板の中に等間隔に配置され且つ半径において軸心から離れた方向に沿って開口した六つの収納空間を含み、前記収納空間の中には洗浄アームが半径方向に沿ってスライド可能に設置され、前記洗浄アームにおいて軸心から離れた端には洗浄綿が固定的に設置され、前記洗浄アームにおいて軸心に近接した端と前記収納空間の内壁との間には第二ばねが固定的に連結され、前記浮き板が高速旋転するとき、遠心力によって前記洗浄アームが軸心から離れた方向へスライドし、前記洗浄アームにおいて円心から離れた端が前記貯水空間の中まで延びており、前記洗浄綿が前記貯水空間の側壁と当接している。
【０００９】
有益的に、前記貯水空間の下壁の左側には下方に開口した排水口が連通するように設置され、前記排水口の側壁にはスライド板空間が連通するように設置され、前記スライド板空間の中には止水板が左右にスライド可能に設置され、前記止水板の右端と前記スライド板空間の右壁との間には第三ばねが固定的に連結され、前記スライド板空間の上壁と前記貯水空間の下壁との間において前記浮き板の下方には第一当接棒溝が連通するように形成され、前記第一当接棒溝の中には上端が前記貯水空間の中まで延びた第一当接棒が上下にスライド可能に設置されている。
【００１０】
前記止水板の上端面には上方に開口した当接溝が形成され、前記止水板が前記第三ばねの作用を受けて一番左に位置し、前記止水板の左端が前記排水口の左壁と当接して前記排水口を封じており、第一当接棒が下方へスライドすると、第一当接棒の下端が当接溝の斜面と当接し、止水板が右方へスライドし、前記貯水空間が前記排水口により外部と連通している。
【００１１】
前記洗い装置は、前記歯車空間の上壁において前記第二回転軸の後側に連通するように設置された第二当接棒空間を含み、前記第二当接棒空間の上端が前記貯水空間と連通しており、前記第二当接棒空間の中には第二当接棒が上下貫通になるように且つ上下にスライド可能に設置され、前記第二当接棒の前端面の下端には前方に開口した第二歯付き溝が形成され、前記歯車が前記第二歯付き溝に噛み合っており、前記第二当接棒の下端と前記歯車空間の下壁との間には第四ばねが固定的に連結されている。
【００１２】
前記第一当接棒と前記第二当接棒の上端面には上方に開口したローリング車空間が設置され、前記ローリング車空間の左右壁の間には上端が外部まで延びたローリング車が回転可能に設置され、前記浮き板が高速に回転して下へスライドして前記第一当接棒と前記第二当接棒とを動かした時、前記ローリング車が前記浮き板の下端面と接触して回転し、前記浮き板と前記第一当接棒と前記第二当接棒との摩損を減らす。
【００１３】
有益的には、前記第二連通管の上端面の右端と前記貯水空間の下壁との間には第三連通管が連通するように設置され、前記第三連通管の側壁の上端には加速弁が固定的に設置され、前記加速弁には底部口径が大きく、頂部口径が小さい加速口が上下貫通のように設置され、前記インペラが回転する時、前記インペラが水流を前記第三連通管に押し動かし、水流が前記加速口を通って流速を早めた後に前記洗浄綿に流れて洗浄する。
【発明の効果】
【００１４】
本願発明の有益効果は：本願発明は精確に水塔内の水位の変化をリアルタイムで表示できる上に、長時間にわたって水塔の内壁に付着している水垢などを洗浄でき、洗浄後自動的に汚水を排出し洗浄綿をきれいに洗うことで、洗浄後に再び貯水時にきれいな水が汚染されるのを防止することができ、水塔内の水の綺麗さを保証する。
【図面の簡単な説明】
【００１５】
下記に図１〜５をあわせて本発明について詳しく説明し、便利に説明するために、下記の方向を以下のように規定する：図１は本発明装置の正面図であり、本願に記載の各方向が、図１と同じ向きに装置を見た際の方向である。
【００１６】
【図１】図１は本願発明の全体構成図
【図２】図２は図１におけるＡ―Ａ方向の断面図
【図３】図３は図１におけるＢ―Ｂ方向の断面図
【図４】図４は図１におけるＣの拡大図
【図５】図５は図４におけるＤ―Ｄ方向の断面図
【発明を実施するための形態】
【００１７】
本願発明は水塔内壁を洗浄できる水塔水位測量装置に関し、主に水塔水位のリアルタイムの測量と水塔内壁の洗浄に用いられ、下記に明細書図面を合わせて本願発明を更に説明する。
【００１８】
水塔内壁を洗浄できる水塔水位測量装置であって、水塔１１を含み、前記水塔１１の中には貯水空間１２が設置され、前記貯水空間１２の上壁の左端には上方に開口した水入り口１３が連通するように設置され、前記水塔１１の上方には測量装置１０１が設置され、前記測量装置１０１は、前記貯水空間１２の上壁の右側に連通するように設置され且つ上方に開口したスライド道１４を含み、前記スライド道１４の中には上下両端が外部まで延びたスライド棒１５が上下にスライド可能に設置され、前記スライド棒１５の右端面には右方に開口した第一歯付き溝１６が形成され、前記水塔１１の上端面において前記スライド道１４の右側には支持ブロック１７が前後対称に且つ固定的に設置され、後側の前記支持ブロック１７において対称中心に近接した側の端面にはモータ６０が固定的に設置され、前記モータ６０の前端には第一回転軸１８が伝動可能に連結され、前記第一回転軸１８の前端が前側の前記支持ブロック１７に回転可能に連結され、前記第一回転軸１８の外円周面には前記第一歯付き溝１６に噛み合った歯車１９が固定的に設置され、前記貯水空間１２の中には洗浄装置１０２が設置され、前記洗浄装置１０２は前記貯水空間１２の上下壁の間に固定的に設置されたボルト２９を含み、前記貯水空間１２の中には前記ボルト２９にネジ山により連結された浮き板３０が上下にスライド可能に連結され、前記浮き板３０の上端面の中には環状スライド道３１が設置され、前記環状スライド道３１の右端が前記スライド棒１５の真っ下に位置しており、前記環状スライド道３１の中にはスライドブロック３２がスライド可能に設置され、前記環状スライド道３１の上壁には上方に開口した連結通路３３が連通するように設置され、前記連結通路３３の中には第二連結棒３４がスライド可能に設置され、前記第二連結棒３４の下端が前記スライドブロック３２に固定的に連結され、前記第二連結棒３４の上端が前記スライド棒１５の下端に固定的に連結され、前記貯水空間１２の下壁の中には洗い装置１０３が設置され、前記洗い装置１０３は前記貯水空間１２の下壁の中に設置された歯車空間４６を含み、前記歯車空間４６の右壁の中には第二回転軸４７が回転可能に設置され、前記第二回転軸４７の左端には歯車４６が固定的に設置され、前記貯水空間１２の下壁の内部において前記歯車空間４６の右側には第一連通管４９が連通するように設置され、前記第一連通管４９の右壁の下端には第二連通管５０が連通するように設置され、前記第二回転軸４７の右端が前記第二連通管５０の中に延びており且つ前記第二回転軸４７の右端にはインペラ５１が固定的に設置されている。
【００１９】
有益的には、前記測量装置１０１は、前記第一回転軸１８の外円面に固定的に設置されたリール２０を含み、前記水塔１１の右端面には固定ブロック２１が固定的に設置され、前記固定ブロック２１の中には昇降空間２２が設置され、前記昇降空間２２の中には昇降ブロック２３が上下にスライド可能に設置され、前記昇降ブロック２３の下端面と前記昇降空間２２の下壁との間には第一ばね２４が固定的に連結され、前記昇降ブロック２３の上端面と前記リール２０との間には引縄２５が固定的に連結されている。
【００２０】
有益的には、前記昇降空間２２の右壁には右方に開口した開口２６が連通するように設置され、前記開口２６の中には第一連結棒２７が上下にスライド可能に設置され、前記第一連結棒２７の右端が外部に延びており且つ前記第一連結棒２７の右端には指針２８が固定的に設置され、前記固定ブロック２１の右端面において前記開口２６の縁のところには水位目盛りがマークされ、前記指針２８が前記昇降ブロック２３に従って昇降する時、前記指針２８は対応の水位目盛りに指すことができる。
【００２１】
前記洗浄装置１０２は、前記浮き板３０の中に等間隔に配置され且つ半径において軸心から離れた方向に沿って開口した六つの収納空間３５を含み、前記収納空間３５の中には洗浄アーム３６が半径方向に沿ってスライド可能に設置され、前記洗浄アーム３６において軸心から離れた端には洗浄綿２７が固定的に設置され、前記洗浄アーム３６において軸心に近接した端と前記収納空間３５の内壁との間には第二ばね３８が固定的に連結され、前記浮き板３０が高速旋転するとき、遠心力によって前記洗浄アーム３６が軸心から離れた方向へスライドし、前記洗浄アーム３６において円心から離れた端が前記貯水空間１２の中まで延びており、前記洗浄綿３７が前記貯水空間１２の側壁と当接している。
【００２２】
前記貯水空間１２の下壁の左側には下方に開口した排水口３９が連通するように設置され、前記排水口３９の側壁にはスライド板空間４０が連通するように設置され、前記スライド板空間４０の中には止水板４１が左右にスライド可能に設置され、前記止水板４１の右端と前記スライド板空間４０の右壁との間には第三ばね４２が固定的に連結され、前記スライド板空間４０の上壁と前記貯水空間１２の下壁との間において前記浮き板３０の下方には第一当接棒溝４３が連通するように形成され、前記第一当接棒溝４３の中には上端が前記貯水空間１２の中まで延びた第一当接棒４４が上下にスライド可能に設置されている。
【００２３】
有益的には、前記止水板４１の上端面には上方に開口した当接溝４５が形成され、前記止水板４１が前記第三ばね４２の作用を受けて一番左に位置し、前記止水板４１の左端が前記排水口３９の左壁と当接して前記排水口３９を封じており、第一当接棒４４が下方へスライドすると、第一当接棒４４の下端が当接溝４５の斜面と当接し、止水板４１が右方へスライドし、前記貯水空間１２が前記排水口３９により外部と連通している。
【００２４】
有益的には、前記洗い装置１０３は、前記歯車空間４６の上壁において前記第二回転軸４７の後側に連通するように設置された第二当接棒空間５５を含み、前記第二当接棒空間５５の上端が前記貯水空間１２と連通しており、前記第二当接棒空間５５の中には第二当接棒５６が上下貫通になるように且つ上下にスライド可能に設置され、前記第二当接棒５６の前端面の下端には前方に開口した第二歯付き溝５９が形成され、前記歯車４８が前記第二歯付き溝５９に噛み合っており、前記第二当接棒５６の下端と前記歯車空間４６の下壁との間には第四ばね６１が固定的に連結されている。
【００２５】
有益的には、前記第一当接棒４４と前記第二当接棒５６の上端面には上方に開口したローリング車空間５７が設置され、前記ローリング車空間５７の左右壁の間には上端が外部まで延びたローリング車５８が回転可能に設置され、前記浮き板３０が高速に回転して下へスライドして前記第一当接棒４４と前記第二当接棒５６とを動かした時、前記ローリング車５８が前記浮き板３０の下端面と接触して回転し、前記浮き板３０と前記第一当接棒４４と前記第二当接棒５６との摩損を減らす。
【００２６】
有益的には、前記第二連通管５０の上端面の右端と前記貯水空間１２の下壁との間には第三連通管５２が連通するように設置され、前記第三連通管５２の側壁の上端には加速弁５３が固定的に設置され、前記加速弁５３には底部口径が大きく、頂部口径が小さい加速口５４が上下貫通のように設置され、前記インペラ５１が回転する時、前記インペラ５１が水流を前記第三連通管５２に押し動かし、水流が前記加速口５４を通って流速を早めた後に前記洗浄綿３７に流れて洗浄する。
【００２７】
下記に図１〜５を合わせて本願発明の使用方法を詳しく説明する：
初期状態の時、第一ばね２４が引張状態にあることで引縄２５が引き締めた状態にあり、洗浄アーム３６と洗浄綿３７が収納空間３５の中に収納され、止水板４１が左側極限位置に位置し、止水板４１の左端と排水口３９の左壁とが当接して排水口３９を封じており、第三ばね４２がずっと圧縮状態にあり、第一当接棒４４が上部極限位置に位置し、第二当接棒５６が第四ばね６１の作用により上部極限位置に位置している。
作動するとき、貯水空間１２の中の水位が変化すると、環状スライド道３１が水位の変化により昇降し、環状スライド道３１が昇降すると同時に回転し、この時スライドブロック３２が環状スライド道３１の中において浮き板３０に対してスライドし、スライド棒１５が環状スライド道３１に従って昇降し、歯車噛合により第一回転軸１８が連動して回転するにしたがって、リール２０が回転して引縄２５を繰り入れるまたは繰り出すことができ、昇降ブロック２３が第一連結棒２７により指針２８を昇降連動させて対応の水位目盛りに指し、貯水空間１２の中の水位がより低くて且つ洗浄需要がある時、モータ６０が起動して第一回転軸１８の回転を連動させ、第一回転軸１８がまた歯車１９を時計回りに回転連動させ、スライド棒１５が歯車噛合により上方へ連動し、スライド棒１５が第二連結棒３４とスライドブロック３２とにより浮き板３０を連動させて速い速度で上昇させ、浮き板３０が早く上昇する時に、ボルト２９とのネジ山連結により、浮き板３０が早く旋転し、遠心力の作用により洗浄アーム３６が軸心から離れた方向へスライドし、洗浄アーム３６において円心から離れた端が貯水空間１２の中まで延びており、洗浄綿３７と貯水空間１２の側壁とが当接しており、したがって洗浄綿３７が貯水空間１２の側壁を洗浄し、浮き板３０が上側の極限位置まで上昇した時、モータ６０が反転して浮き板３０を下降連動させ、貯水空間１２の側壁に対する二回目の洗浄を行い、浮き板３０が下降してローリング車５８と接触すると、ローリング車５８が回転して浮き板３０と第一当接棒４４と第二当接棒５６との摩損を減らし、第一当接棒４４と第二当接棒５６が下降し、第一当接棒４４は下降する時に下端が当接溝４５の斜面と当接し、したがって止水板４１が右方へスライドし、貯水空間１２の中の汚水が排水口３９から排出され、第二当接棒５６の下降が歯車噛合により第二回転軸４７の回転を連動させ、第二回転軸４７がインペラ５１を連動させて早い速度で回転させて水流を第三連通管５２に流し、水流が加速口５４を通って流速を早めた後に洗浄綿３７を洗浄することで、今度水を入れる時に水を汚染することを防止し、洗浄完了後にモータ６０を起動して回転させることで、浮き板３０が上昇してローリング車５８と当接しなくなり、したがって止水板４１が第三ばね４２の作用により初期状態になるまで左方へスライドし、当接溝４５と第一当接棒４４の下端と斜面とが当接しており、したがって第一当接棒４４が初期状態になるまで上方へスライドし、第二当接棒５６がインペラ５１の作用により初期状態になるまで上方へスライドする。
【００２８】
上記方式により、本分野の当業者は本願発明の範囲内に作動パターンにより各種な変化を実行できる。
【要約】
【課題】本発明は水塔内壁を洗浄できる水塔水位測量装置を開示した。
【解決手段】水塔を含み、前記水塔の中には貯水空間が設置され、前記貯水空間の上壁の左端には上方に開口した水入り口が連通するように設置され、前記水塔の上方には測量装置が設置され、前記測量装置は、前記貯水空間の上壁の右側に連通するように設置され且つ上方に開口したスライド道を含み、前記スライド道の中には上下両端が外部まで延びたスライド棒が上下にスライド可能に設置され、前記スライド棒の右端面には右方に開口した第一歯付き溝が形成され、前記水塔の上端面において前記スライド道の右側には支持ブロックが前後対称に且つ固定的に設置され、後側の前記支持ブロックにおいて対称中心に近接した側の端面にはモータが固定的に設置される。
【選択図】図１【図１】
0006810860.tif 000002
【図２】
0006810860.tif 000003
【図３】
0006810860.tif 000004
【図４】
0006810860.tif 000005
【図５】
0006810860.tif 000006